(57)【特許請求の範囲】
【請求項１】
船外機のイモビライザ受信装置であって、液密なケース内に収納され且つ認証コードを受信する制御ユニットと、認証コード受信のためのアンテナ線と、認証コード受信を知らせるためのアンサーバックブザと、絶縁性材料からなり且つ前記制御ユニット及びアンテナ線及びアンサーバックブザを収納部内に収納する筐体とを備え、前記筐体の収納部は、開口面と、その反対側の底面とを有し、筐体の開口面を船体の鉛直面又はほぼ鉛直面への取付面とし、且つ開口面から底面までの距離を予め設定された所定距離として、その底面に沿わせてアンテナ線を収納したことを特徴とする船外機のイモビライザ受信装置。
【請求項２】
前記アンテナ線を収納部の周壁に沿わせて収納したことを特徴とする請求項１に記載の船外機のイモビライザ受信装置。
【請求項３】
前記筐体収納部の開口面から底面までの予め設定された所定距離は、前記筐体の開口面を取付ける船体が金属であっても、前記アンテナ線が認証コードを受信可能な距離としたことを特徴とする請求項１又は２に記載の船外機のイモビライザ受信装置。
【請求項４】
前記アンテナ線を制御ユニットで押付けるようにして筐体収納部の底面に固定したことを特徴とする請求項１乃至３の何れか一項に記載の船外機のイモビライザ受信装置。
【請求項５】
前記アンサーバックブザの本体を、収納部の何れの面からも離間している状態で筐体の収納部内に収納したことを特徴とする請求項１乃至４の何れか一項に記載の船外機のイモビライザ受信装置。
【請求項６】
前記筐体の収納部の外側に、船体取付時の上向き方向を示すと共に、当該収納部の船体取付時の下向き部分に水抜き穴を形成したことを特徴とする請求項１乃至５の何れか一項に記載の船外機のイモビライザ受信装置。
【請求項７】
前記水抜き穴は、船体取付時の収納部内のアンサーバックブザの下方位置から離れた位置に形成したことを特徴とする請求項６に記載の船外機のイモビライザ受信装置。
【発明の詳細な説明】
【技術分野】
【０００１】
本発明は、船外機のイモビライザ受信装置に関するものであり、特にイモビライザ受信装置を後付けで船体に取付ける場合に好適なものである。
【背景技術】
【０００２】
船舶の多くは、海上、湖上、河川などに係留、保管されているため、船舶の推進装置が船外機である場合、船外機のエンジンを始動することができれば、船舶ごと盗難される恐れがある。そこで、近年のエンジンを始めとする船外機の電子制御に合わせて、２輪車や４輪車に広く採用されているイモビライザシステムが導入されている。イモビライザシステムは、周知のように、トランスポンダと呼ばれる発信器（中継器）からの認証コードを受信し、その認証コードを認証した場合にのみ、例えば船外機のエンジン始動を許可するものである。認証コード認証後の制御形態は、エンジンを含む船外機の電制御装置を用いて種々に設定可能であり、例えば船外機や船舶を販売するディーラーとユーザとの間で設定することもできる。また、認証コードの認証の仕方については、下記特許文献１に種々の方法が記載されている。
【特許文献１】特開２００６−１７５９９９号公報
【発明の開示】
【発明が解決しようとする課題】
【０００３】
ところで、イモビライザシステムの受信装置を、所謂後付けで船体に取付ける場合、特に受信のためのアンテナ線や認証コードを認証したことを知らせるアンサーバックブザの取付けが困難である。船体が金属である場合、アンテナ線を船体に近づけすぎると認証コードを受信することができない。また、アンサーバックブザは、耐水性が比較的低いので、水に濡れると作動しなくなる恐れがある。このような問題を回避、或いは解消しながら、船体への取付けが容易で、且つ受信機能を確保可能な船外機のイモビライザ受信装置が要求されている。
本発明は前記諸問題を解決すべく開発されたものであり、船体への取付けが容易で、且つ受信機能を確保可能な船外機のイモビライザ受信装置を提供することを目的とするものである。
【課題を解決するための手段】
【０００４】
上記諸問題を解決するため、本発明の船外機のイモビライザ受信装置は、船外機のイモビライザ受信装置であって、液密なケース内に収納され且つ認証コードを受信する制御ユニットと、認証コード受信のためのアンテナ線と、認証コード受信を知らせるためのアンサーバックブザと、絶縁性材料からなり且つ前記制御ユニット及びアンテナ線及びアンサーバックブザを収納部内に収納する筐体とを備え、前記筐体の収納部は、開口面と、その反対側の底面とを有し、筐体の開口面を船体の鉛直面又はほぼ鉛直面への取付面とし、且つ開口面から底面までの距離を予め設定された所定距離として、その底面に沿わせてアンテナ線を収納したことを特徴とするものである。
【０００５】
この船外機のイモビライザ受信装置では、絶縁性材料からなる筐体の開口面を船体の鉛直面又はほぼ鉛直面へ取付けると、収納部の底面に沿わせて収納されたアンテナ線が船体の取付面から所定距離だけ離間するので、当該アンテナ線の受信機能を確保することができると共に、被せるようにして船体に取付けられた筐体によって比較的耐水性の低いアンサーバックブザが覆われているので、アンサーバックブザの機能を確保することができ、全体として受信機能を確保可能になると共に船体への取付けが容易なものとなる。
【０００６】
また、本発明の船外機のイモビライザ受信装置は、前記アンテナ線を収納部の周壁に沿わせて収納したことを特徴とするものである。
この船外機のイモビライザ受信装置では、アンテナ線を収納部の周壁に沿わせることにより、アンテナ線の長さを確保することができると共に、アンテナ線が収納部の底面から離間しにくくなることで、当該アンテナ線の受信機能を確保することができる。
【０００７】
また、本発明の船外機のイモビライザ受信装置は、前記筐体収納部の開口面から底面までの予め設定された所定距離は、前記筐体の開口面を取付ける船体が金属であっても、前記アンテナ線が認証コードを受信可能な距離としたことを特徴とするものである。
この船外機のイモビライザ受信装置では、絶縁性材料からなる筐体の開口面を船体の鉛直面又はほぼ鉛直面に取付けるだけで、収納部の底面に沿わせて収納されたアンテナ線が、船体の取付面から、認証コードを受信可能な距離だけ離間するので、当該アンテナ線の受信機能が確保され、また船体への取付けが容易なものとなる。
【０００８】
また、本発明の船外機のイモビライザ受信装置は、前記アンテナ線を制御ユニットで押付けるようにして筐体収納部の底面に固定したことを特徴とするものである。
この船外機のイモビライザ受信装置では、制御ユニットで押付けられるようにしてアンテナ線が筐体収納部の底面に固定されているので、アンテナ線と船体の取付面との距離を確保して当該アンテナ線の受信機能を確保し易い。
【０００９】
また、本発明の船外機のイモビライザ受信装置は、前記アンサーバックブザの本体を、収納部の何れの面からも離間している状態で筐体の収納部内に収納したことを特徴とするものである。
この船外機のイモビライザ受信装置では、アンサーバックブザの本体が収納部の何れの面からも離間しているので、万が一、筐体収納部内に水が入っても、その水が収納部の面に沿って流れ落ち、比較的耐水性の低いアンサーバックブザにかかることはないので、アンサーバックブザの機能が確保される。
【００１０】
また、本発明の船外機のイモビライザ受信装置は、前記筐体の収納部の外側に、船体取付時の上向き方向を示すと共に、当該収納部の船体取付時の下向き部分に水抜き穴を形成したことを特徴とするものである。
この船外機のイモビライザ受信装置では、船体に取付けられた筐体の向きを確保して、万が一、筐体収納部内に水が入っても、船体取付時の下向き部分に設けられた水抜き穴から水が抜けるので、アンサーバックブザなどの比較的耐水性の低い部品の機能が確保される。
【００１１】
また、本発明の船外機のイモビライザ受信装置は、前記水抜き穴は、船体取付時の収納部内のアンサーバックブザの下方位置から離れた位置に形成したことを特徴とするものである。
この船外機のイモビライザ受信装置では、水抜き穴がアンサーバックブザの下方位置から離れた位置に形成されていることで、万が一、水抜き穴から水が入っても、それがアンサーバックブザに直接かかるのを回避することができる。
【発明の効果】
【００１２】
而して、本発明の船外機のイモビライザ受信装置によれば、絶縁性材料からなる筐体収納部内に、液密なケース内に収納され且つ認証コードを受信する制御ユニット、及び認証コード受信のためのアンテナ線、及び認証コード受信を知らせるためのアンサーバックブザを収納し、筐体の開口面を船体の鉛直面又はほぼ鉛直面への取付面とし、且つ筐体収納部の開口面から底面までの距離を予め設定された所定距離として、その底面に沿わせてアンテナ線を収納したことにより、筐体の開口面を船体の鉛直面又はほぼ鉛直面へ取付けるだけで、アンテナ線の受信機能を確保することができると共に、比較的耐水性の低いアンサーバックブザの機能を確保することができ、全体として受信機能を確保可能になると共に船体への取付けが容易なものとなる。
【発明を実施するための最良の形態】
【００１３】
以下、本発明の船外機のイモビライザ受信装置の一実施形態について、図面を引用しながら説明する。
図１は、本実施形態の船外機のイモビライザ受信装置を装着した小型船舶の概略構成図である。この小型船舶は、オープンデッキタイプの船体５２の船尾に船外機１を搭載し、前部にステアリングホイール５４、シート５５、リモコンレバー５６、メインスイッチ及びスタートスイッチを有するスイッチパネル５７、メータパネル５８等を配設した操縦席を備えている。本実施形態の船外機のイモビライザ受信装置１０は、この操縦席の下方で、船体５２の側壁に相当する垂直面又はほぼ垂直面に取付けられており、後述するケーブルがスイッチパネル５７に接続されている。なお、イモビライザ受信装置の取付位置は、これに限定されるものではなく、例えば操縦席コンソールの縦壁、箱型座席の内部縦壁など、船体５の垂直面又はほぼ垂直面であれば、何れの箇所にも取付可能である。
【００１４】
船外機１は、図２に示すように、上方から、カウル３、アッパケース４、ロアケース５の順に組立てられ、図示しないクランプによって、船体５２に対し、上下方向及び横方向に揺動可能に取付けられている。カウル３は、トップカウル３Ｕとロアカウル３Ｌの組合せからなり、内部にエンジン２を内装している。
また、ロアケース５内には、プロペラ６の回転軸であるプロペラシャフト６ａが水平方向に挿通されており、カウル３内からロアケース５内まで延設されたドライブシャフト８０の下端は、ベベルギヤで構成される駆動ギヤ８５、前進ギヤ８６Ｆ、後進ギヤ８６Ｒとドグクラッチ８７によるシフト変換機構８３を介してプロペラシャフト６ａに連結されている。そして、ドライブシャフト８０と平行に上下方向に配設されたシフトロッド８４を、図示しない電子制御装置によって制御される電動モータを含む電動回転機構ＥＳＭで回転させることにより、シフト変換機構８３が作動して、ニュートラルか、前進か、後進かの何れかに随時変換した状態で、ドライブシャフト８０からプロペラシャフト６ａに回転力が伝達される。
【００１５】
即ち、シフト変換機構８３は、ドライブシャフト８０の下端に固定した駆動ギヤ８５に、プロペラシャフト６ａ上に回転自在に配置した前進ギヤ８６Ｆと後進ギヤ８６Ｒとを夫々噛合させ、プロペラシャフト６ａに対して摺動可能で回転不能に配設したドグクラッチ８７を、前進ギヤ８６Ｆと後進ギヤ８６Ｒとの間に配置して、シフトロッド８４の回転（シフトロッド下端のカム面の回転）に連動させてドグクラッチ８７をプロペラシャフト６ａ上で摺動させるようにしたものである。
【００１６】
このようなシフト変換機構８３により、電動回転機構ＥＳＭでシフトロッド８４をその軸回りに回転させることでドグクラッチ８７を移動させて、前進ギヤ８６Ｆと後進ギヤ８６Ｒの何れかに噛合させるか、或いは、その中間部で何れとも噛合させないようにすることで、ドライブシャフト８０の回転を前進ギヤ８６Ｆか後進ギヤ８６Ｒの何れかを介してプロペラシャフト６ａに伝達させるか、或いは、ドライブシャフト８０の回転をプロペラシャフト６ａに伝達させないニュートラル状態となるようにしている。
【００１７】
船外機１には、図示しないバッテリスイッチ及びバッテリケーブルを介して、船体５２側のバッテリが接続され、バッテリからの電力が船外機１の電装部品に供給される。また、船外機１と船体５２側とは、リモコンケーブル及びスロットル・シフトケーブルによって接続されている。本実施形態では、船外機１の電子制御装置は、船外機１側に搭載されており、この電子制御装置とスイッチパネル５７とをリモコンケーブルで接続する。前述したように、スイッチパネル５７とイモビライザ受信装置１０とは接続されているので、船外機用電子制御装置にイモビライザ受信装置１０の認証コード認証結果を送信することで、コード認証後の仕様を船外機用電子制御装置によって種々に設定することができる。本実施形態では、イモビライザ受信装置１０によって認証コードが認証された場合に船外機１のエンジン２の始動を許可するものとし、認証コード認証後にスイッチパネル５７によってエンジン始動指令が出力された場合に限ってエンジン２を始動する。コード認証後の仕様は、これに限定されるものではなく、例えば前記バッテリスイッチの投入を可能としたり、前記シフト変換機構のシフトロックを解除したりするようにしてもよい。
【００１８】
図３には、本実施形態の船外機のイモビライザ受信装置１０の具体的な構成を示す。図３ａは、本実施形態のイモビライザ受信装置１０の正面図、図３ｂは、制御ユニットの取付状態を示す縦断面図、図３ｃは、イモビライザ受信装置１０の背面図、図３ｄは、制御ユニットの取付状態を示す横断面図、図３ｅは、アンサーバックブザの取付状態を示す断面図である。
【００１９】
図３の符号１１は、有底方形の筐体である。この筐体１１は、合成樹脂などの絶縁性材料で構成される。この筐体１１の凹陥部が収納部１２であり、収納部１２は開口面１３と底面１４を備えている。このうち、開口面１３を船体５２の垂直面又はほぼ垂直面への取付面とする。開口面１３から底面１４までの距離は、約３０ｍｍ以上の距離を保って設定されている。この開口面１３から底面１４までの距離は、当該開口面１２を船体５２の取付面に取付けたとき、船体５２が金属製であっても、収納部１２の底面１４に沿って収納される後述のアンテナ線が認証コードを受信可能な所定距離である。
【００２０】
筐体１１の収納部１２の外側には、図３ｃに示すように、同図の右向きに「ＵＰ」と矢印１５が示されている。この「ＵＰ」並びに矢印１５は、矢印の方向を上向きにして筐体１１を船体５２の垂直面又はほぼ垂直面に取付けるように指示するものである。従って、図３ａの図示右側は、筐体１１を船体５２の垂直面又はほぼ垂直面に取付けたとき、下向きになる。そして、収納部１２の船体取付時下側に水抜き穴１６が一カ所だけ形成されている。これは、筐体１１を船体５２の垂直面又はほぼ垂直面に取付けた後、万が一、筐体１１の収納部１３内に水が入った場合に、その水が自重で抜けるようにするためのものである。また、この水抜き穴１６は、後述するアンサーバックブザ２１の下方位置から離れた位置、具体的には収納部１２の垂直中心線を挟んだ反対側に設けられているので、万が一、水に気穴１６から水が入っても、アンサーバックブザ２１に直接水がかかるのを回避することができる。
【００２１】
ちなみに、収納部１２の船体取付時下側からは、後述する制御ユニットとスイッチパネル５７とを連結するケーブル１８が延設されており、当該ケーブル１８はクランプバンド１７によって筐体１１のケーブル支持部１９に固定されている。本実施形態のイモビライザ受信装置１０は、独自の電源を持たないので、ケーブル１８を介して、船体５２側の電力を入力し、その電力で、後述する制御ユニットやアンサーバックブザを作動する。なお、ケーブル１８は、場合によっては、船外機１の電子制御装置に直接接続してもよく、その場合には、イモビライザ受信装置１０からの受信結果に基づいて、電子制御装置が前述のような制御を行うようにすればよい。
【００２２】
図３中の符号２０は、液密なケースに収納された制御ユニットであり、認証コードを認証して、その結果をアンサーバックブザ２１やケーブル１８を介してスイッチパネル５７に出力するものであり、２本のビス６１によって収納部１２の底面に固定されている。この制御ユニット２０とケーブル１８中の各接続線とは、ギボシと呼ばれるコネクタ２２を介して接続されている。また、アンサーバックブザ２１とケーブル１８中の接続線も、個別のコネクタ（ギボシ）２３を介して接続されている。
【００２３】
コネクタ２２からは、制御ユニット２０に接続されたアンテナ線２４が延設されている。このアンテナ線２４は、図示しないトランスポンダからの認証コードを受信するためのものである。このアンテナ線２４は、コネクタ２２から筐体１１の収納部１２の周壁に沿い且つ底面１４に沿わせて取り回されており、その先端部は、制御ユニット２０の底面に接続されている。従って、アンテナ線２４は、制御ユニット２０によって押付けられるようにして、収納部１２の底面１４に固定されている。
【００２４】
前記アンサーバックブザ２１は、その本体が、収納部１２の全ての面から離間して、所謂フローティング状態に浮かせて収納され、筐体１１の収納部１２内に突設されている突起部２５にビス６２及びブラケット２６を介して取付けられている。アンサーバックブザ２１は、比較的耐水性が低く、できるだけ水がかからないようにしたい。アンサーバックブザ２１をフローティング状態に浮かせておけば、万が一、収納部１２内に水が入っても、水は周壁に沿って流れ落ちるので、アンサーバックブザ２１に水がかかりにくく、動作を保証することができる。
【００２５】
このように、本実施形態の船外機のイモビライザ受信装置では、筐体１１の収納部１２内に、液密なケース内に収納され且つ認証コードを受信する制御ユニット２０、認証コード受信のためのアンテナ線２４、認証コード受信を知らせるためのアンサーバックブザ２１を収納し、筐体１１の収納部１２の開口面１３と底面１４との距離を予め設定された所定距離として、当該筐体１１の開口面１３を船体の鉛直面又はほぼ鉛直面への取付ることにより、収納部１２の底面１４に沿わせて収納されたアンテナ線２４が船体の取付面から所定距離だけ離間するので、当該アンテナ線２４の受信機能を確保することができると共に、被せるようにして船体に取付けられた筐体１１によって比較的耐水性の低いアンサーバックブザ２１が覆われているので、アンサーバックブザ２１の機能を確保することができ、全体として受信機能を確保可能になると共に船体への取付けが容易なものとなる。
【００２６】
即ち、アンテナ線２４が船体の取付面から所定距離だけ予め離間しているので、イモビライザ受信装置を設置する場合に、金属製の船体に設置する場合でも、アンテナ線の位置を意識することなく設置することができ、これにより設置が容易になる。
また、アンテナ線２４を収納部１２の周壁に沿わせて収納したことにより、アンテナ線２４の長さを確保することができると共に、アンテナ線２４が収納部１２の底面１４から離間しにくくなることで、当該アンテナ線２４の受信機能を確保することができる。
【００２７】
また、筐体１１の収納部１２の開口面１３から底面１４までの予め設定された所定距離を、当該筐体１１の開口面１３を取付ける船体が金属であっても、アンテナ線２４が認証コードを受信可能な距離としたことにより、アンテナ線２４の受信機能が確保され、また船体への取付けが容易なものとなる。
また、アンテナ線２４を制御ユニット２０で押付けるようにして筐体１１の収納部１２の底面１４に固定したことにより、アンテナ線２４と船体の取付面との距離を確保して当該アンテナ線２４の受信機能を確保し易い。
【００２８】
また、アンサーバックブザ２１の本体を、収納部１２の何れの面からも浮いている状態で筐体１１の収納部１２内に収納したことにより、万が一、筐体１１の収納部１２内に水が入っても、その水が収納部１２の面に沿って流れ落ち、比較的耐水性の低いアンサーバックブザ２１にかかることはないので、アンサーバックブザ２１の機能が確保される。
また、筐体１１の収納部１２の外側に、船体取付時の上向き方向を示すと共に、当該収納部１２の船体取付時の下向き部分に水抜き穴１６を形成したことにより、万が一、筐体１１の収納部１２内に水が入っても、水抜き穴１６から水が抜けるので、アンサーバックブザ２１などの比較的耐水性の低い部品の機能が確保される。
【００２９】
また、水抜き穴１６が船体取付時の収納部１２内のアンサーバックブザ２１の下方位置から離れた位置に形成されていることで、万が一、水抜き穴１６から水が入っても、それがアンサーバックブザ２１に直接かかるのを回避することができる。
なお、本発明の船外機のイモビライザ受信装置が適用される船外機は、前記実施形態に記載されるものに限定されない。また、同様に、本発明の船外機のイモビライザ受信装置が適用される船舶は、前記実施形態に記載されるものに限定されない。
【図面の簡単な説明】
【００３０】
【図１】本発明の船外機のイモビライザ受信装置を搭載した船舶の一実施形態を示す概略構成図である。
【図２】図１の船舶に用いられた船外機の外形図である。
【図３】図１の船舶に搭載された船外機のイモビライザ受信装置の詳細図である。
【符号の説明】
【００３１】
１は船外機、２はエンジン、３はカウル、４はアッパケース、５はロアケース、６はプロペラ、１０はイモビライザ受信装置、１１は筐体、１２は収納部、１３は開口面、１４は底面、１５は矢印、１６は水抜き穴、１７はクリップバンド、１８はケーブル、１９は支持部、２０は制御ユニット、２１はアンサーバックブザ、２２、２３はコネクタ、２４はアンテナ線、２５は突起部
【図１】
0005059694.tif 000002
【図２】
0005059694.tif 000003
【図３】
0005059694.tif 000004